(57)【要約】【課題】  この考案は、第一にバイブレータ用のアワーメータの小型化を図ること、第二にバイブレータの運転時間を作業者が容易に知ることができるようにすること、第三に記録データの改ざんを防止してそして保守、整備などのための正確な情報を得られるようにすることを課題とするものである。【解決手段】  この考案のコンクリートバイブレータ１は、駆動用モータ３の運転時間を記録する記録素子９を備えた運転時間積算回路６をコンクリートバイブレータの内部に配置する。前記運転時間積算回路６はコンクリートバイブレータ駆動用の電源装置８に接続し、前記記録素子は、前記電源装置の出力電源の電圧および出力電源の周波数の変化に関わらず、駆動用モータを運転させた時間を積算し、記録素子に常に積算時間を記録するものとし、前記運転時間積算回路の駆動源はコンクリートバイブレータと同一電源を使用するものとして構成する。【選択図】  図２
0003131407.tif 000002
【実用新案登録請求の範囲】
【請求項１】
振動体内部に駆動用モータを内蔵する電気式コンクリートバイブレータにおいて、前記駆動用モータの運転時間を記録する記録素子を備えた運転時間積算回路をコンクリートバイブレータの内部に配置し、
前記運転時間積算回路をコンクリートバイブレータを運転させるために必要とされる出力電圧及び出力周波数を発生させる電源装置に接続し、
前記記録素子は、前記電源装置の出力電源の電圧および出力電源の周波数の変化に関わらず、駆動用モータを運転させた時間を積算し、記録素子に常に積算時間を記録するものとし、
前記運転時間積算回路の駆動源はコンクリートバイブレータと同一電源を使用することを特徴とするコンクリートバイブレータ
【請求項２】
コンクリートバイブレータの本体に積算運転時間を表示する表示器を設けた、請求項第1項記載のコンクリートバイブレータ
【請求項３】
運転時間積算回路には、積算運転時間の読取装置を接続するためのコネクタを設けた、請求項第1項記載のコンクリートバイブレータ。
【請求項４】
運転時間積算回路は記録素子を複数備え、その一部を不揮発性記録素子として、外部信号によってのみ積算時間の記録を消去可能とした、請求項１ないし３の何れかに記載のコンクリートバイブレータ。
【請求項５】
運転時間積算回路は不揮発性記録素子を複数備え、前記複数の不揮発性記録素子のうち、少なくとも1個は積算時間の記録を消去することができないものとした請求項１ないし４の何れかに記載のコンクリートバイブレータ
【考案の詳細な説明】
【技術分野】
【０００１】
この発明は、建設現場などでコンクリート打設時に使用するコンクリートバイブレータであって、運転時間の管理機能を備えたものに関するものである。
【背景技術】
【０００２】
コンクリートバイブレータは建設現場においてコンクリート打設のために使用されているが、使用実態は打設業者がリース・レンタル店から賃貸した機械を用いて作業が行われているのがほとんどである。従って機械個々の使用頻度、通算使用時間、消耗度などの実態把握が難しい状態となっている。
一方、コンクリート打設においてはバイブレータによる締め固めの良否がコンクリート強度ひいてはコンクリート構造物の品質を左右する大きな要因となっており、締め固めの良否を判断する簡便な方法が求められているが、依然実用性の高い方法が見出されていないという実情がある。
【０００３】
コンクリートバイブレータによるコンクリートの締固めの作業管理においては、一般に時間による管理が行われているが、そのためには作業者が常時稼働時間を正確に把握しやすいことが必要であり、所定時間作業を行ってもバイブレータ自体が所定の性能を発揮していなければ所期の効果は得られない。バイブレータが所定の性能を発揮するためには、常時個々のバイブレータにつき適正な保守、整備を行わなければならず、そのために、バイブレータの積算駆動時間を正確に把握することが必須である。
リース・レンタル物件についての実働時間の管理に関してはアワーメータが提案されているが、コンクリートバイブレータを駆動するための電源の電圧および周波数は商用電源とは異なるものであり、使用中の電圧の変動などが起こり易く、また、使用電源の出力電圧や出力周波数の範囲が広く多岐にわたっている為、従来のアワーメータでは誤作動や正確な時間の測定が困難であった。
【特許文献１】特開平１０−３５９８２９
【０００４】
そのため、従来のアワーメータは、上記特許文献記載の発明を含み、作動時間を正確に記録するためには、アワーメータの電源としてバイブレータ自体の電源とは別にバッテリーなどの定格電源を用意している。そのためアワーメータ自体が大きくなりコンクリートバイブレータのスイッチケースや接続用の電源プラグの内部など、バイブレータの内部に配置することが難しかった。
コンクリートバイブレータにおいてはアワーメータを組み込むことが困難なために、アワーメータを組み込んだコンクリートバイブレータは普及していない。その結果、現状ではコンクリートバイブレータの使用時間を正確に把握できない。そのために、コンクリート打設などの作業を行う業者などにコンクリートバイブレータをリース・レンタルする業者は、製品の保守管理において、内部消耗品に交換時期の判断、故障時において、その故障の要因が整備不良によるものか経年変化によるものかの判断、そして貸与期間中のコンクリートバイブレータの実稼動時間を把握できないため整備頻度の判断などを行うことが困難であり、機械の個々の使用時間の平均化ができず、機械に寿命にバラツキが発生する問題点がある。
【０００５】
次に、コンクリートの打設を行う施工業者においては、コンクリート打設中のコンクリートバイブレータの稼働時間が把握できず打設が適切に行われたか判断できない。
また打設を適切に行おうとする場合に、コンクリートバイブレータの適正な使用時間を設定する事が困難であり、現場作業者の経験則に頼ることが多かった。そして、複数のコンクリートバイブレータを使用する場合には個々のコンクリートバイブレータの稼働時間を管理できないため、不適切な作業を監視することが難しいという問題点があった。
【考案の開示】
【考案が解決しようとする課題】
【０００６】
この考案は、第一にコンクリートバイブレータの積算運転時間を、バイブレータ駆動用の電源によって正確に記録できるようにして、バイブレータ用のアワーメータの小型化を図ること、第二にバイブレータの運転時間を作業者が容易に知ることができるようにすること、第三に記録データの改ざんを防止してそして保守、整備などのための正確な情報を得られるようにすることを課題とするものである。
【課題を解決するための手段】
【０００７】
この考案のコンクリートバイブレータは、振動体内部に駆動用電気式モータを内蔵する電気式コンクリートバイブレータにおいて、前記駆動モータの運転時間を記録する記録素子を備えた運転時間積算回路をコンクリートバイブレータの内部に配置する。配置位置は、スイッチケース内、駆動用電気式モータと前記コンクリートバイブレータ用電源装置に接続するための電源プラグの内部が適当であるが位置は問わない。
前記運転時間積算回路をコンクリートバイブレータを運転させるために必要とされる出力電圧及び出力周波数を発生させる電源装置に接続し、前記記録素子は、前記電源装置の出力電源の電圧および出力電源の周波数の変化に関わらず、駆動用電気式モータを運転させた時間を積算し、記録素子に常に積算時間を記録するものとし、前記運転時間積算回路の駆動源はコンクリートバイブレータと同一電源を使用するものとして構成する。
【０００８】
前記記録素子に記録されたデータは、コンクリートバイブレータの本体に積算運転時間を表示する表示器を設けて常時確認することができるようにすることが望ましいが（請求項２）、積算運転時間の読取装置を接続するためのコネクタを設けて、外部の読み取り装置を接続しなければ読み取れないようにすることもできる（請求項３）。また、記録素子は複数設け、１つの記録素子は電源OFFにより記録が消去される揮発性記録素子を用いて各作業における運転時間をバイブレータ本体の表示器に表示するようにして作業管理のデータとして利用し、他の記録素子は不揮発性の記録素子を用い、外部信号によってのみ積算時間の記録を消去可能として（請求項４）、保守、管理のデータとして使用するようにしてもよい。
更に、運転時間積算回路に不揮発性記録素子を複数そなえ、前記複数の不揮発性記録素子のうち、少なくとも1個は積算時間の記録を消去することができないようにすることも可能である（請求項５）。
【考案の効果】
【０００９】
この考案において、記録素子は、前記電源装置の出力電源の電圧および出力電源の周波数の変化に関わらず駆動用電気式モータを運転させた時間を積算し、記録素子に常に積算時間を記録するものとしたので、記録素子の電源をコンクリートバイブレータを運転するための電源装置からの電源を利用することが可能となり、別途バッテリーなどの定格電源を用意する必要がなく、運転時間積算回路を小型化することができ、かつ正確な運転時間の記録が可能となる。そのために、運転時間積算回路をコンクリートバイブレータのスイッチケース内もしくは、駆動用電気式モータと前記コンクリートバイブレータ用電源装置に接続するための電源プラグの内部に配置することができる。
【００１０】
請求項２の考案によれば、記録素子に記録されたデータがコンクリートバイブレータ本体の表示器に表示されるので、作業者は当該作業における運転時間を正確に把握することができ、時間による作業管理を正確に行うことができ打設品質の向上を図ることができる。他方、請求項３の考案は積算運転時間の読取装置を接続するためのコネクタを設けて、外部の読み取り装置を接続しなければ読み取れないようにするようにしたので、作業の適否の管理を行うことができる。
そして、記録素子を複数設ければ、１つの記録素子は電源OFFにより記録が消去される素子を用いて各作業における運転時間をバイブレータ本体の表示器に表示するようにして作業管理のデータとして利用し、他の記録素子は不揮発性の素子を用い、外部信号によってのみ積算時間の記録を消去可能として、保守、管理のデータとして使用することができ、作業者、管理者共にデータを有効に活用することができる。
更に、運転時間積算回路に不揮発性記録素子を複数そなえ、前記複数の不揮発性記録素子のうち、少なくとも1個は積算時間の記録を消去することができないようにすることにより。リース、レンタル業者などバイブレータの保守、管理をする者にとって個々のバイブレータについての正確な履歴を把握することができる。
【考案を実施するための最良の形態】
【００１１】
図１において、コンクリートバイブレータ１の振動部２を振動させるためのモータ３をＯＮ／ＯＦＦするためのスイッチ４が収納されたスイッチケース５に、運転時間積算回路６が配設してある。前記スイッチには電源プラグ７を介してモータ３を稼働するための４８ないし２８０Ｖ、１００ないし２４０Ｈｚの交流が電源装置から入力され、その入力電圧は変動する。
図２は運転時間積算回路６の回路図であり、コンクリートバイブレータ１の振動部２に組み込まれた振動モータ３を駆動するための電源装置から入力されるスイッチ４の出力側に運転時間積算回路６が接続されており、この運転時間積算回路６は複数の３つの記録素子９ａ、９ｂ、９ｃを備えている。
前記記録素子９ａは揮発性の記録素子であってバイブレータのスイッチ４をＯＦＦとしたときに記録情報が消去されるものであり、記録素子９ｂ及び９ｃは不揮発性の記録素子であって、バイブレータの駆動スイッチをＯＦＦとしても記録情報は消去されないものである。そして、前記記録素子９ｂは外部信号によって記録情報が消去可能であり、記録素子９ｃは外部信号によっても通常の用法によっては消去できないものとしてある。
【００１２】
前記運転時間積算回路６には、記録素子９ａで記録された運転時間、すなわち個別作業の運転時間が表示される表示器１０が接続され、表示器はスイッチケース５に配設されている。また、記録素子９ｂ、９ｃで記録された運転時間を読み取るための読み取り装置あるいは記録素子の記録を消去するための外部信号を入力するための装置を接続するためのコネクタ１1が接続されている。
図中、バックアップ電源１６は必要により配設するものであって、揮発性記録素子９ａのデータをスイッチをＯＦＦした後も暫時維持するためのものである。バックアップ電源を用いることにより、記録素子９ａのデータも外部の読み取り装置で読み取ることができる。前記バックアップ電源には大容量コンデンサを用いることもできる。
図中、通信コントロール１２は、記録素子に記録されたデーターをシリアルデーター又はパラレルデーターに変換して外部機器へ出力するインターフェイス機能及び、通信時のエラー訂正信号の作成及び訂正の機能、そして外部機器からデーターとして入力されたリセット信号を、リセット信号であるのか否かを判断し、リセット信号の場合は記録素子へ信号を出力する機能を有するものである。
【００１３】
上記実施形態においては、記録素子９ａは揮発性であるからスイッチ４をＯＮ／ＯＦＦする都度に情報が書き換えられるので、作業者は表示器１０に表示される運転時間の表示を読み取ることにより、個別作業毎の運転時間を正確に把握することができる。
他方記録素子９ｂ、９ｃは不揮発性であるからスイッチ４のＯＮ／ＯＦＦにより記録が消去されることはない。そして、記録素子９ｂは外部信号により記録の消去が可能であるから、作業現場において管理者が一日ごとに各バイブレータの稼働時間を管理することができる。また記録素子９ｃは記録が消去できないので、個々のバイブレータの累計の運転履歴を管理することができる。
【００１４】
図３は、運転時間積算回路６を電源プラグ７に配設したものである。電源プラグ７に配設した場合においてもスイッチ４のＯＮ／ＯＦＦ状態は検知できるので、上記と同様の回路を組むことができる。
この場合、スイッチ４よりも電源側での検知となるので、通常の回路構成の場合は電流によるカウントとなる。しかし、図４に示すように、運転時間積算回路の入力側をスイッチよりも電源側の電力線に接続し、出力側をスイッチよりもモータ側の電力線に接続することにより、電圧によるカウントが可能となり、装置の小型化が図れる。
【産業上の利用可能性】
【００１５】
以上を総合すると、この考案は以下のように産業上利用することができる。
(施工者)
ア）打設開始前後の積算運転時間を知る事により打設時の実運転時間の把握が可能となり  コンクリートボリュームに対する使用時間の管理が可能となる。
イ）コンクリート打設施工における実運転記録として数値的な証拠を残すことが出来る。
ウ）上記使用時間とコンクリート打設後の仕上りや強度などの品質とを統計的に分析する  ことにより適正施工/手抜き施工などの判定の目安に出来る。
エ）運転時間積算回路に複数の記録素子を備えたものは少なくとも1個は積算時間を消去できないようにすることにより、機器の使用開始当初からの積算時間を把握できる。
(リース・レンタル業)
個々のバイブレータのリース・レンタル先での積算運転時間が正確に把握できるので、
ア）部品交換の要否が適切に判断できる。
イ）突発的な故障に際しても、積算運転時間を知る事により寿命なのか異常故障なのかの判  断が容易となる。
ウ）複数保有するバイブレータの個々の物件毎の使用時間のバラツキを少なくする管理が可能となる。
エ）オーバーホール後に積算運転時間をリセットすれば次の整備時期の管理が簡単になる。
オ）リセット動作を安易に出来ないようパスワードやキーを設ける事によって、運転時間の改ざんを防げば厳格な使用時間管理が可能となる。
（製造者）
運転時間積算回路に複数の記録素子を備えたものは少なくとも1個は積算時間を消去できないようにしてあるため、機器の使用開始当初からの積算時間を把握できるためリース・レンタル業者が使用時間を偽ったり、誤認して苦情を言ってきた場合に機械の寿命を主張をすることができる。
【図面の簡単な説明】
【００１６】
【図１】スイッチケース内に運転時間積算回路を収納した図
【図２】運転時間積算回路の回路図
【図３】電源プラグ内に運転時間積算回路を収納した図
【図４】運転時間積算回路の接続例を示す回路図
【符号の説明】
【００１７】
１    コンクリートバイブレータ
２    振動部
３    駆動用モータ
４    スイッチ
５    スイッチケース
６    運転時間積算回路
７    電源プラグ
８    電源装置
９ａ，９ｂ，９ｃ    記録素子
１０  表示器
１１  6コネクタ
【図１】
0003131407.tif 000003
【図２】
0003131407.tif 000004
【図３】
0003131407.tif 000005
【図４】
0003131407.tif 000006